(57)【特許請求の範囲】
【請求項１】
通信ネットワーク（１０３）を通じてアクセス可能なサーバ（９０）の状態を遠隔地から監視するために用いられるサーバ監視装置（１０）であって、
前記サーバ（９０）の前面に設けられて前記サーバ（９０）の状態を表示する複数の発光素子（９２）に対し、複数の光ファイバ（２０）の一端部を光学的に結合した状態に保持する光ファイバ始端固定手段（７０，７４，８１Ａ，８４，８５，９４）と、
前記複数の光ファイバ（２０）の他端部の端面を予め定められた配列になるように保持する光ファイバ終端固定手段（２２）と、
それら光ファイバ（２０）の端面群の前記配列の発光パターンを撮像するカメラ（３０）と、
前記発光パターンの画像を前記サーバ（９０）の監視者（１０１）へ送信するための画像送信手段（４０）と、
前記光ファイバ終端固定手段（２２）に設けられ、前記光ファイバ（２０）の端面が並ぶ基準位置で発光可能な複数の基準発光素子（２４）と、を備えたことを特徴とするサーバ監視装置（１０）。
【請求項２】
前記光ファイバ終端固定手段（２２）及び前記カメラ（３０）を収容し、外部からの光を遮断する遮光ボックス（３１）を備えたことを特徴とする請求項１に記載のサーバ監視装置（１０）。
【請求項３】
前記サーバ（９０）を受容したサーバラック（９３）に取り付けられて、前記サーバ（９０）の前面を覆うことが可能な開閉扉（９４）に、前記複数の光ファイバ（２０）の一端部を挿通可能な複数の光ファイバ挿通孔（９４Ａ）を貫通形成して、その開閉扉（９４）を前記光ファイバ始端固定手段（９４）としたことを特徴とする請求項１又は２に記載のサーバ監視装置（１０）。
【請求項４】
閉状態の前記開閉扉（９４）に向けて光を出射する出射手段（２８，２９）と、前記出射手段（２８，２９）から出射されて閉状態の前記開閉扉（２９）で反射した光を、一端部の端面で受光して他端部の端面から出射する反射光用光ファイバ（２７）とを備え、
前記光ファイバ終端固定手段（２２）は、前記反射光用光ファイバ（２７）から出射された光が前記カメラ（３０）にて撮像されるように前記反射光用光ファイバ（２７）の他端部を保持したことを特徴とする請求項３に記載のサーバ監視装置（１０）。
【請求項５】
前記サーバ（９０）を受容したサーバラック（９３）に取り付けられて、前記サーバ（９０）の前面（９１Ｚ）の左右方向又は上下方向の何れか一方である第１方向に平行に延びた１対の直動ガイド（８１Ａ）と、
前記左右方向又は前記上下方向の何れか他方である第２方向に延びて前記１対の直動ガイド（８１Ａ）の長手方向の任意の位置に差し渡された複数の架橋バー（８３）と、
各前記架橋バー（８３）の長手方向の任意の位置に取り付けられて、前記光ファイバ（２０）の一端部を前記発光素子（９２）に光学的に結合した状態に保持可能な第１光ファイバ保持部材（８４，８５）とが、前記光ファイバ始端固定手段（８１Ａ，８４，８５）として備えられたことを特徴とする請求項１又は２に記載のサーバ監視装置（１０）。
【請求項６】
前記第１光ファイバ保持部材（８４，８５）は、前記光ファイバ（２０）の一端部に取り付けられて前記発光素子（２０）を覆う固定アダプタ（８５）と、各前記架橋バー（８３）の長手方向の任意の位置に装着されて、前記サーバ（９０）の前面（９１Ｚ）との間で前記固定アダプタ（８５）を挟持するクッション部材（８４）とからなり、
前記固定アダプタ（８５）は、前記発光素子（２０）との対向面に陥没形成された前面凹部（８５Ａ）を有し、前記前面凹部（８５Ａ）の奥側から前記光ファイバ（２０）の端面を前記発光素子（９２）に対向させた状態に前記光ファイバ（２０）を保持するように構成されたことを特徴とする請求項５に記載のサーバ監視装置（１０）。
【請求項７】
前記サーバ（９０）を受容したサーバラック（９３）に取り付けられる枠体（７１）の内側に網体（７２）を張ってなる支持網盤（７０）と、
前記網体（７２）の任意の網目（７２Ａ）に光ファイバ（２０）の一端部を挿通させた状態に固定して、前記光ファイバ（２０）の一端部を前記発光素子（９２）に光学的に結合した状態に保持可能な第２光ファイバ保持部材（７４）とが、前記光ファイバ始端固定手段（７０，７４）として備えられたことを特徴とする請求項１又は２に記載のサーバ監視装置（１０）。
【請求項８】
前記第２光ファイバ保持部材（７４）は、前記網体（７２）の任意の前記網目（７２Ａ）に挿通されかつ内側に前記光ファイバ（２０）を挿通可能な支持パイプ（７４Ｃ）と、前記支持パイプ（７４Ｃ）の先端に固定され、前記サーバ（９０）の前面（９１Ｚ）に宛われて前記発光素子（２０）を覆う先端ヘッド部（７４Ａ）と、前記支持パイプ（７４Ｃ）の外側に挿通されて前記網体（７２）と前記先端ヘッド部（７４Ａ）の間で突っ張り状態になり、前記先端ヘッド部（７４Ａ）を前記サーバ（９０）の前面（９１Ｚ）に押し付ける圧縮コイルバネ（７４Ｂ）とからなり、
前記先端ヘッド部（７４Ａ）は、前記発光素子（９２）との対向面に陥没形成された前面凹部（７４Ｄ）を有し、前記前面凹部（７４Ｄ）の奥側から前記光ファイバ（２０）の端面を前記発光素子（２０）に対向させた状態に前記光ファイバ（２０）を保持するように構成されたことを特徴とする請求項７に記載のサーバ監視装置（１０）。
【請求項９】
前記サーバ（９０）が設置されているサーバ室（９５）の室内光を一端部の端面から取り込んで他端部の端面から出力する環境光用光ファイバ（２６）を有し、
前記光ファイバ終端固定手段（２２）は、前記環境光用光ファイバ（２６）の他端部の端面が前記カメラ（３０）にて撮像されるように前記環境光用光ファイバ（２６）を保持したことを特徴とすることを特徴とする請求項１乃至８の何れか１の請求項に記載のサーバ監視装置（１０）。
【請求項１０】
請求項１乃至９の何れか１の請求項に記載のサーバ監視装置（１０）と、
前記サーバ監視装置（１０）から通信ネットワークを通して前記発光パターンの画像を受信し、前記サーバ（９０）の状態を判定するサーバ状態判定装置（１０５）とを備えてなることを特徴とするサーバ監視システム（１００）。
【発明の詳細な説明】
【技術分野】
【０００１】
本発明は、通信ネットワークを介してアクセス可能なサーバを遠隔地から監視するサーバ監視システム及びそれに用いられるサーバ監視装置に関する。
【背景技術】
【０００２】
従来、サーバを遠隔地から監視するためには、サーバの設置場所に派遣した作業員にサーバの状態を表示する複数のランプの点灯態様を確認させることで、サーバの状態を把握するという方法が取られていた（例えば、特許文献１）。
【先行技術文献】
【特許文献】
【０００３】
【特許文献１】特開２００４−２１３６２号公報（段落［０００２］）
【発明の概要】
【発明が解決しようとする課題】
【０００４】
しかしながら、上述したサーバの監視方法では、作業員によるランプの確認に時間がかかり、サーバの状態を迅速に把握することが困難であった。
【０００５】
本発明は、上記事情に鑑みてなされたものであり、サーバの状態を従来よりも迅速に把握することが可能なサーバ監視装置及びサーバ監視システムの提供を目的とする。
【課題を解決するための手段】
【０００６】
上記目的を達成するためになされた請求項１の発明に係るサーバ監視装置（１０）は、通信ネットワーク（１０３）を通じてアクセス可能なサーバ（９０）の状態を遠隔地から監視するために用いられるサーバ監視装置（１０）であって、サーバ（９０）の前面に設けられてサーバ（９０）の状態を表示する複数の発光素子（９２）に対し、複数の光ファイバ（２０）の一端部を光学的に結合した状態に保持する光ファイバ始端固定手段（７０，７４，８１Ａ，８４，８５，９４）と、複数の光ファイバ（２０）の他端部の端面を予め定められた配列になるように保持する光ファイバ終端固定手段（２２）と、それら光ファイバ（２０）の端面群の配列の発光パターンを撮像するカメラ（３０）と、発光パターンの画像をサーバ（９０）の監視者（１０１）へ送信するための画像送信手段（４０）と、光ファイバ終端固定手段（２２）に設けられ、光ファイバ（２０）の端面が並ぶ基準位置で発光可能な複数の基準発光素子（２４）と、を備えたところに特徴を有する。
【０００７】
ここで、本発明の「通信ネットワーク」としては、インターネット、ローカルエリアネットワーク（ＬＡＮ）、ワイドエリアネットワーク（ＷＡＮ）等が挙げられ、有線回線であっても無線回線であってもよい。
【０００８】
本発明の「カメラ」は、白黒で撮像するものであってもよいし、カラーで撮像するものであってもよい。カラーで撮像する場合には、発光素子の発光色の違いを区別することが可能になる。また、カメラは、発光パターンを動画として撮像してもよいし、静止画として撮像してもよい。動画として撮像する場合には、発光素子が点滅によってサーバの状態を表示する場合であっても、その点灯態様を撮像することが可能になる。なお、カメラによる撮像は、定期的に実行されてもよいし、監視者からの要求があったときにのみ実行されてもよい。また、カメラが動画を撮像する場合には、常時撮像してもよい。
【０００９】
また、「画像送信手段」は、定期的に画像を送信するようにしてもよいし、監視者から要求があったときにのみ画像を送信するようにしてもよい。また、動画を送信する場合には、常時送信するようにしてもよい。また、画像送信手段が画像を監視者へ送信する経路としては、上述の「通信ネットワーク」であってもよいし、それとは別の専用回線であってもよい。なお、この専用回線についても、有線、無線のどちらであってもよい。
【００１０】
請求項２の発明は、請求項１に記載のサーバ監視装置（１０）において、光ファイバ終端固定手段（２２）及びカメラ（３０）を収容し、外部からの光を遮断する遮光ボックス（３１）を備えたところに特徴を有する。
【００１１】
請求項３の発明は、請求項１又は２に記載のサーバ監視装置（１０）において、サーバ（９０）を受容したサーバラック（９３）に取り付けられて、サーバ（９０）の前面を覆うことが可能な開閉扉（９４）に、複数の光ファイバ（２０）の一端部を挿通可能な複数の光ファイバ挿通孔（９４Ａ）を貫通形成して、その開閉扉（９４）を光ファイバ始端固定手段（９４）としたところに特徴を有する。
【００１２】
請求項４の発明は、請求項３に記載のサーバ監視装置（１０）において、閉状態の開閉扉（９４）に向けて光を出射する出射手段（２８，２９）と、出射手段（２８，２９）から出射されて閉状態の開閉扉（２９）で反射した光を、一端部の端面で受光して他端部の端面から出射する反射光用光ファイバ（２７）とを備え、光ファイバ終端固定手段（２２）は、反射光用光ファイバ（２７）から出射された光がカメラ（３０）にて撮像されるように反射光用光ファイバ（２７）の他端部を保持したところに特徴を有する。
【００１３】
請求項５の発明は、請求項１又は２に記載のサーバ監視装置（１０）において、サーバ（９０）を受容したサーバラック（９３）に取り付けられて、サーバ（９０）の前面（９１Ｚ）の左右方向又は上下方向の何れか一方である第１方向に平行に延びた１対の直動ガイド（８１Ａ）と、左右方向又は上下方向の何れか他方である第２方向に延びて１対の直動ガイド（８１Ａ）の長手方向の任意の位置に差し渡された複数の架橋バー（８３）と、各架橋バー（８３）の長手方向の任意の位置に取り付けられて、光ファイバ（２０）の一端部を発光素子（９２）に光学的に結合した状態に保持可能な第１光ファイバ保持部材（８４，８５）とが、光ファイバ始端固定手段（８１Ａ，８４，８５）として備えられたところに特徴を有する。
【００１４】
請求項６の発明は、請求項５に記載のサーバ監視装置（１０）において、第１光ファイバ保持部材（８４，８５）は、光ファイバ（２０）の一端部に取り付けられて発光素子（２０）を覆う固定アダプタ（８５）と、各架橋バー（８３）の長手方向の任意の位置に装着されて、サーバ（９０）の前面（９１Ｚ）との間で固定アダプタ（８５）を挟持するクッション部材（８４）とからなり、固定アダプタ（８５）は、発光素子（２０）との対向面に陥没形成された前面凹部（８５Ａ）を有し、前面凹部（８５Ａ）の奥側から光ファイバ（２０）の端面を発光素子（９２）に対向させた状態に光ファイバ（２０）を保持するように構成されたところに特徴を有する。
【００１５】
請求項７の発明は、請求項１又は２に記載のサーバ監視装置（１０）において、サーバ（９０）を受容したサーバラック（９３）に取り付けられる枠体（７１）の内側に網体（７２）を張ってなる支持網盤（７０）と、網体（７２）の任意の網目（７２Ａ）に光ファイバ（２０）の一端部を挿通させた状態に固定して、光ファイバ（２０）の一端部を発光素子（９２）に光学的に結合した状態に保持可能な第２光ファイバ保持部材（７４）とが、光ファイバ始端固定手段（７０，７４）として備えられたところに特徴を有する。
【００１６】
請求項８の発明は、請求項７に記載のサーバ監視装置（１０）において、第２光ファイバ保持部材（７４）は、網体（７２）の任意の網目（７２Ａ）に挿通されかつ内側に光ファイバ（２０）を挿通可能な支持パイプ（７４Ｃ）と、支持パイプ（７４Ｃ）の先端に固定され、サーバ（９０）の前面（９１Ｚ）に宛われて発光素子（２０）を覆う先端ヘッド部（７４Ａ）と、支持パイプ（７４Ｃ）の外側に挿通されて網体（７２）と先端ヘッド部（７４Ａ）の間で突っ張り状態になり、先端ヘッド部（７４Ａ）をサーバ（９０）の前面（９１Ｚ）に押し付ける圧縮コイルバネ（７４Ｂ）とからなり、先端ヘッド部（７４Ａ）は、発光素子（９２）との対向面に陥没形成された前面凹部（７４Ｄ）を有し、前面凹部（７４Ｄ）の奥側から光ファイバ（２０）の端面を発光素子（２０）に対向させた状態に光ファイバ（２０）を保持するように構成されたところに特徴を有する。
【００１７】
請求項９の発明は、請求項１乃至８の何れか１の請求項に記載のサーバ監視装置（１０）において、サーバ（９０）が設置されているサーバ室（９５）の室内光を一端部の端面から取り込んで他端部の端面から出力する環境光用光ファイバ（２６）を有し、光ファイバ終端固定手段（２２）は、環境光用光ファイバ（２６）の他端部の端面がカメラ（３０）にて撮像されるように環境光用光ファイバ（２６）を保持したところに特徴を有する。
【００１８】
請求項１０の発明に係るサーバ監視システム（１００）は、請求項１乃至９の何れか１の請求項に記載のサーバ監視装置（１０）と、サーバ監視装置（１０）から通信ネットワークを通して発光パターンの画像を受信し、サーバ（９０）の状態を判定するサーバ状態判定装置（１０５）とを備えてなるところに特徴を有する。
【発明の効果】
【００１９】
［請求項１，１０の発明］
請求項１，１０の発明では、サーバ（９０）の動作状況を点灯態様により示す複数の発光素子（９２）に複数の光ファイバ（２０）の一端部が光学的に結合し、それら複数の光ファイバ（２０）の他端部の端面が予め定められた配列になるように保持されるので、それら光ファイバ（２０）の端面群の配列の発光パターンからサーバ（９０）の動作状況を把握することが可能になる。そして、その発光パターンがカメラ（３０）により撮像され、その画像がサーバ（９０）の監視者（１０１）に送信されるので、従来のように、サーバ（９０）の設置場所に派遣した作業員が発光素子（９２）を確認する手間が省かれ、サーバ（９０）の状態を迅速に把握することが可能になる。また、基準発光素子（２４）の発光を基準にして、発光している光ファイバ（２０）を特定することが容易となる。
【００２０】
また、請求項１０のサーバ監視システム（１００）では、カメラ（３０）により撮像された発光パターンからサーバ状態判定装置（１０５）がサーバ（９０）の状態を判定するので、監視者（１０１）による発光パターンの視認ミスをなくすことができる。
【００２１】
［請求項２の発明］
請求項２の発明によれば、遮光ボックス（３１）によって、発光パターンが外部光の影響を受けて認識し難くなる事態を防ぐことができる。
【００２２】
［請求項３の発明］
請求項３の発明によれば、複数の光ファイバ（２０）を固定した開閉扉（９４）を閉じることでそれら複数の光ファイバ（２０）を複数の発光素子（９２）と光学的に結合させることができる。
【００２３】
［請求項４の発明］
請求項４の構成によれば、反射光用光ファイバ（２７）の発光によって開閉扉（９４）が閉じているか否かを判断することができ、これにより、光ファイバ（２０）と発光素子（９２）が光学的に結合しているか否かを把握することが可能になる。
【００２４】
［請求項５〜８の発明］
請求項５の構成によれば、任意の数の架橋バー（８３）を１対の直動ガイド（８１Ａ）の長手方向における任意の位置に差し渡すと共に、任意の数の第１光ファイバ保持部材（８４，８５）を各架橋バー（８３）の長手方向における任意の位置に装着して、各第１光ファイバ保持部材（８４，８５）に光ファイバ（２０）を保持させれば、サーバ（９０）の任意の数及び配置の発光素子（９２）のそれぞれに光ファイバ（２０）の一端部を容易に光学的に連結させることができる。
【００２５】
請求項７の構成によれば、サーバ（９０）の前面に対向配置された網体（７２）の任意の網目（７２Ａ）に任意の数の光ファイバ（２０）を挿通させて第２光ファイバ保持部材（７４）にて固定することで、サーバ（９０）の任意の数及び配置の発光素子（９２）のそれぞれに光ファイバ（２０）の一端部を容易に光学的に連結させることができる。
【００２６】
請求項６及び８の構成によれば、固定アダプタ（８５）又は先端ヘッド部（７４Ａ）の前面凹部（８５Ａ，７４Ｄ）内で発光素子（９２）と光ファイバ（２０）の端面とを対向させるので、外乱の光が光ファイバ（２０）に取り込まれることを防ぐことができる。
【００２７】
［請求項９の発明］
請求項９の発明によれば、サーバ室（９５）の室内光が光ファイバ（２０）に取り込まれた場合であっても、監視者（１０１）は、その室内光の影響を差し引いて発光パターンを判断することが可能になる。
【図面の簡単な説明】
【００２８】
【図１】本発明の第１実施形態に係るサーバ監視システムの全体構成図
【図２】サーバ及びサーバ監視装置の斜視図
【図３】サーバ機器の正面図
【図４】開閉扉の側断面図
【図５】遮光ボックス及び保持部材の平断面図
【図６】表示ボードを裏側から見た図
【図７】投影板の発光パターンの一例を示した図
【図８】第２実施形態に係る支持フレーム、架橋バー等の斜視図
【図９】光ファイバを発光素子に結合した状態の平面図
【図１０】第３実施形態に係る支持網盤及びファイバホルダ等の斜視図
【図１１】ファイバホルダの側断面図
【図１２】支持パイプが網目を貫通した状態の断面図
【図１３】ファイバホルダの側断面図
【図１４】ファイバホルダの側断面図
【発明を実施するための形態】
【００２９】
［第１実施形態］
以下、本発明に係るサーバ監視装置及びサーバ監視システムの一実施形態を図１〜図７に基づいて説明する。図１に示すように、本実施形態のサーバ監視システム１００は、レンタルサーバ業者からサーバ９０を借りた借り主１０１が、そのサーバ９０の状態を監視するために用いられる。同図に示すように、サーバ９０は、サーバ９０の借り主１０１（以下、「監視者１０１」という）が所有する端末１０４から通信ネットワーク１０３を介してアクセス可能になっている。サーバ監視システム１００は、サーバ９０が設置されている場所でサーバ９０の状態を監視するサーバ監視装置１０と、このサーバ監視装置１０に通信ネットワーク１０３を介して接続されてサーバ９０の状態を監視者１０１に報知するサーバ状態判定装置１０５とを備えてなる。
【００３０】
サーバ９０は、サーバ９０のレンタルサーバ業者が所有するサーバ室９５に設置されている。また、図２に示すように、サーバ９０は、複数のサーバ機器９１からなり、それらサーバ機器９１は、上下に並べられた状態でサーバラック９３に固定されている。さらに、サーバラック９３の前側には、その一側部を中心にして回動する開閉扉９４が設けられ、その開閉扉９４によって複数のサーバ機器９１の前面が覆われるようになっている。なお、サーバ室９５には、例えば上記サーバ９０以外にも図示しない複数のサーバが備えられ、監視者１０１以外の第三者によってレンタルされている。
【００３１】
各サーバ機器９１は、直方体状をなし、その前面９１Ｚ（サーバ９０の前面でもある）には複数の発光素子９２Ａ〜９２Ｅ（以下、「発光素子９２Ａ〜９２Ｅ」を総称する場合には、「発光素子９２」という）が備えられている。図３には、サーバ機器９１の前面９１Ｚの一例が示されている。同図における発光素子９２Ａは、電源ランプであって、サーバ機器９１に電源が入っているときに、例えば、赤色に点灯し、電源が入っていないときには消灯するようになっている。発光素子９２Ｂは、故障ランプであって、サーバ機器９１が故障すると、例えば、黄色に点灯し、故障でないときには、消灯するようになっている。また、同図に示すサーバ機器９１は、ハードディスクドライブ９１Ａを複数有し、各ハードディスクドライブ９１Ａには、発光素子９２Ｃ，９２Ｄが設けられている。発光素子９２Ｃは、ハードディスクドライブ９１Ａが作動しているときに、例えば、緑色に点灯し、ハードディスクドライブ９１Ａが非作動のときは、消灯するようになっている。また、発光素子９２Ｄは、ハードディスクドライブ９１Ａに故障が発生したときに、例えば、黄色に点滅し、ハードディスクドライブ９１Ａが通信ネットワーク１０３に接続されていないときに、例えば、緑色に点滅するようになっている。発光素子９２Ｅは、ＬＡＮ応答ランプであって、サーバ機器９１がＬＡＮポート９１Ｌを介して接続されているＬＡＮの通信状況が良好のときは、例えば緑色に点灯し、ＬＡＮに接続されていないときは、消灯するようになっている。即ち、発光素子９２は、サーバ機器９１の状態に応じて、消灯し、或いは、点灯・点滅するようになっている。
【００３２】
このように、複数の発光素子９２の点灯態様は、サーバ９０の状態を表している。従って、サーバ室９５にカメラを設置して、発光素子９２の点灯態様を撮像すれば、サーバ９０の状態を把握することが可能となる。しかしながら、上述したように、サーバ室９５には、監視者１０１以外の第三者のサーバも設置されているため、セキュリティ上の観点から、サーバ室９５内の様子をカメラで撮像することは禁止されている。これに対し、本実施形態のサーバ監視装置１０は、セキュリティ上の問題を回避しつつ、発光素子９２の点灯態様を撮像できる構成となっている。以下、サーバ監視装置１０の具体的な構成について説明する。
【００３３】
図２に示すように、サーバ監視装置１０は、サーバ９０に備えた複数の発光素子９２と光学的に結合可能な複数の光ファイバ２０を備えている。具体的には、図４に示すように、開閉扉９４には、各発光素子９２と対向した位置に光ファイバ挿通孔９４Ａが貫通形成され、光ファイバ２０は、光ファイバ挿通孔９４Ａを挿通した状態で、先端部に取り付けられたホルダ２１によって開閉扉９４の裏面に固定されている。ホルダ２１は、全体が柱状をなし、先端面に受容凹部２１Ａを有している。受容凹部２１Ａの奥面には、光ファイバ２０を挿通して固定する取付孔２１Ｂが開口している。そして、開閉扉９４が閉じられたときに、受容凹部２１Ａに発光素子９２が受容されるようになっている。この構成によれば、光ファイバ２０をサーバ機器９１（サーバ９０）に直接固定する必要がなくなるので、発光素子９２やサーバ機器９１の交換が容易となる。なお、本実施形態では、開閉扉９４とホルダ２１とが本発明に係る「光ファイバ始端固定手段」に相当する。
【００３４】
光ファイバ２０のうち発光素子９２と反対側の端部は、外部からの入光を遮断する遮光ボックス３１の内部で表示ボード２２（本発明の「光ファイバ終端固定手段」に相当する）に固定されている。具体的には、表示ボード２２は、複数の光ファイバ接続孔２２Ａ（図６参照）をマトリクス状に配置して備え、それら光ファイバ接続孔２２Ａ群の一端が表示ボード２２の表側に重ねられた投影板２２Ｂにより閉塞された構造になっている。そして、複数の光ファイバ２０の終端部が、予め定められた配列に従って複数の光ファイバ接続孔２２Ａに挿入されて固定され、光ファイバ２０によって伝達された発光素子９２の光が投影板２２Ｂに投影されるようになっている。
【００３５】
詳細には、複数の光ファイバ２０は、サーバ機器９１ごとに上記マトリクス状の配列の別々の段の光ファイバ接続孔２２Ａに挿入され、一のサーバ機器９１が有する発光素子９２に結合した光ファイバ２０の端面が、マトリクス状の配列の一の段に横並びに配置されるようになっている。また、同じ段に配置された光ファイバ２０は、結合した発光素子９２の種類ごとに、別々の光ファイバ接続孔２２Ａに挿通されている。即ち、表示ボード２２（投影板２２Ｂ）には、縦方向の位置でサーバ機器９１の種類を表し、横方向の位置で発光素子９２の種類を表す２次元座標が形成されている。
【００３６】
また、図６に示すように、表示ボード２２を裏側からみたときの右上隅、右下隅、左下隅の３位置には、投影板２２Ｂ上の基準位置（図７における左上隅位置、左下隅位置、右下隅位置、符号３２Ａを参照）で発光可能な基準発光素子２４が設けられている。これにより、投影板２２Ｂ上での座標軸が決まるので、例えば、光ファイバ２０のうち１点のみが発光する場合であっても、その発光の投影板２２Ｂ上における位置を、座標位置で判断できるようになっている。なお、基準発光素子２４は、常時発光するように構成されてもよいし、監視者１０１からの指示を受けたときに発光するように構成されてもよい。
【００３７】
図５に示すように、表示ボード２２には、環境光用光ファイバ２６が接続されている。環境光用光ファイバ２６の表示ボード２２と反対側の端部は、サーバ室９５内に配置されて、サーバ室９５の室内光を取り込み可能になっている。また、環境光用光ファイバ２６の基端部は、光ファイバ接続孔２２Ａに挿通され、サーバ室９５の室内光が投影板２２Ｂに投影されるようになっている。なお、図５では、表示ボード２２に接続した各種光ファイバ（具体的には、光ファイバ２０と、環境光用光ファイバ２６と、次述する反射光用光ファイバ２７及び出射光用光ファイバ２８）の線径が誇張して大きく示されている。
【００３８】
また、図５に示すように、遮光ボックス３１内には、光源２９が備えられ、光源２９と光学的に結合して光源２９の光を伝達する出射光用光ファイバ２８が、遮光ボックス３１の外側に引き出されている。出射光用光ファイバ２８の光源２９と反対側の端部は、サーバ室９５に固定されてサーバラック９３の開閉扉９４と対峙した保持部材３３に保持されている。この保持部材３３は、出射光用光ファイバ２８とは別に、反射光用光ファイバ２７を保持している。反射光用光ファイバ２７は、開閉扉９４が閉位置に配置されたときにのみ、出射光用光ファイバ２８からの光が開閉扉９４で反射した反射光を表示ボード２２へ向かって伝達可能になっている。また、反射光用光ファイバ２７の保持部材３３と開閉扉９４と反対側の端部は、光ファイバ接続孔２２Ａに挿通され、反射光用光ファイバ２７からの光が投影板２２Ｂに投影されるようになっている（図６参照）。これにより、投影板２２Ｂの発光パターンから開閉扉９４が閉じているか否かを判断可能となっている。なお、本実施形態では、光源２９と出射光用光ファイバ２８とから、本発明の「出射手段」が構成されている。
【００３９】
図５に示すように、遮光ボックス３１には、投影板２２Ｂの発光パターンを撮像するためのカメラ３０が収容されている。カメラ３０は、画像送信端末４０に接続され、この画像送信端末４０からの指示を受けて投影板２２Ｂを撮像し、その画像データを画像送信端末４０へ送信するようになっている。なお、カメラ３０は、カラーの動画を撮像可能になっている。
【００４０】
ここで、遮光ボックス３１は、サーバ室９５内に設置されていてもよいし、サーバ室９５の外に設置されていてもよい（図１には、サーバ室９５内に設置されている例が示されている）。上述のように、カメラ３０は、遮光ボックス３１内に収容されているので、遮光ボックス３１がサーバ室９５内に設置されていても、カメラ３０によってサーバ室９５内の様子が撮像されることがない。これにより、カメラ３０が第三者のサーバを撮像してしまうというセキュリティ上の問題は、回避されている。
【００４１】
図７には、カメラ３０により撮像された投影板２２Ｂの発光パターンの一例が示されている。同図において、「Ｒ」、「Ｙ」、「Ｇ」は、それぞれ、赤色、黄色、緑色の点灯を表し、「ＲＢ」、「ＹＢ」、「ＧＢ」は、それぞれ、赤色、黄色、緑色の点滅を表している。また、最上段の左隅と最下段の両端にある３つの輝点３２Ａは基準発光素子２４からの発光である。最上段の輝点３２Ａの左隣にある２つの輝点３２Ｂ，３２Ｃのうち輝点３２Ｂは、環境光用光ファイバ２６からの発光であってサーバ室９５の室内光と同じ色で点灯し、輝点３２Ｃは、反射光用光ファイバ２７からの発光であって光源２９の発光と同じ色で点灯している。
【００４２】
そして、上述したように、投影板２２Ｂには、縦方向の位置でサーバ機器９１の種類を表し、横方向の位置で発光素子９２の種類を表した２次元座標が形成されており、３隅の基準発光素子２４に基づいた座標系と投影板２２Ｂの発光パターンから、どの発光素子９２が消灯しているか、或いは、何色に点灯・点滅しているかを特定できるようになっている。ここで、基準発光素子２４を３隅に配置したことで、カメラのズームやカメラと投影板２２Ｂとの角度等が画像によりばらついていても、座標位置を特定することができる。これにより、各サーバ機器９１における複数の発光素子９２の点灯態様、即ち、サーバ９０の状態が把握できるようになっている。
【００４３】
図１及び図２に示すように、カメラ３０は、画像送信端末４０（本発明の「画像送信手段」に相当する）にネットワーク接続され、撮像した画像のデータを画像送信端末４０に送信可能となっている。なお、画像データは、例えば、ＪＰＥＧファイルのように静止画のデータであってもよいし、例えば、ＭＰＥＧファイルのように動画のデータであってもよい。
【００４４】
図１に示すように、画像送信端末４０は、通信ネットワーク１０３を介してカメラ３０から取得した画像データをサーバ状態判定装置１０５へ送信するようになっている。また、画像送信端末４０は、サーバ状態判定装置１０５からの指示を受けて、カメラ３０へ撮像の指示を送り、カメラ３０から画像データを取得するようになっている。以上が、サーバ監視装置１０の構成に関する説明である。
【００４５】
サーバ状態判定装置１０５は、例えば、監視者１０１が有するパソコンであって、投影板２２Ｂの発光パターンの画像をモニタに表示する。また、監視者１０１は、サーバ状態判定装置１０５からカメラ３０に撮像の指示を送ったり、基準発光素子２４を点灯させることができるようになっている。
【００４６】
また、サーバ状態判定装置１０５では、画像送信端末４０から取得した画像データに基づいて投影板２２Ｂの発光パターンを解析し、サーバ９０の状態を判定する。具体的には、発光パターンの画像から、基準発光素子２４の発光を基準にして各光ファイバ２０の点灯態様を解析し、各サーバ機器９１の状態を判定する。何れのサーバ機器９１にも故障がない場合には、正常である旨を報知し、何れかのサーバ機器９１に故障がある場合には、故障しているサーバ機器９１と故障原因（例えば、ハードディスクの故障やネットワークの接続エラーなど）を報知する。なお、発光パターンを解析し、サーバ９０の状態を判定しているときのサーバ状態判定装置１０５が本発明の「サーバ状態判定装置」に相当する。また、サーバ状態判定装置１０５は、発光パターンにおける座標と発光素子９２との割り当てを任意に変更するソフト的な処理を行うことができる。これにより、例えば、各サーバ機器９１の電源ランプのみを抜き出して確認する等の作業を行うことができ、各サーバ機器９１の状態を状況に応じて判定することが可能になる。
【００４７】
サーバ監視装置１０及びサーバ監視システム１００の構成に関する説明は以上である。本実施形態のサーバ監視装置１０及びサーバ監視システム１００によれば、サーバ９０の動作状況を点灯態様によって示す複数の発光素子９２に複数の光ファイバ２０が光学的に結合し、それら複数の光ファイバ２０の発光素子９２と反対側の端面が予め定められた配列に従って固定されているので、それら端面の発光パターンから、サーバ９０の動作状況を把握することが可能になる。そして、その発光パターンがカメラ３０により撮像され、その画像が監視者１０１に送信されるので、従来のように、サーバ９０の設置場所に派遣した作業員が発光素子９２を確認する手間が省かれ、サーバ９０の状態を迅速に把握することが可能になる。しかも、複数の発光素子９２同士が互いに離れた位置に配置されていても、それら複数の発光素子９２の点灯態様を１つの画像の中に収めることができるので、サーバ９０の状態確認をより迅速にすることが可能になる。また、この構成によれば、作業員による発光素子９２の確認ミスがなくなるので、サーバ９０の状態をより正確に把握することが可能になる。
【００４８】
また、本実施形態によれば、サーバ９０に備えられた発光素子９２を利用することができるので、サーバ９０に、例えば、自己の状態を表す電気信号を監視者１０１へ送信する機能を付加する必要がない。従って、既存のサーバ９０にサーバ監視装置１０を取り付けるだけで、サーバ監視システム１００を構築することが可能になる。
【００４９】
［第２実施形態］
本実施形態は、図８及び図９に示されており、光ファイバ２０群の一端部を発光素子９２に光学的に連結する構造が前記第１実施形態と異なる。具体的には、図８に示すように、上記したサーバラック９３は、四隅にアングル材からなる支柱９３Ａを備えていて、サーバラック９３の前面側の左右の支柱９３Ａ，９３Ａには、それぞれ前後方向に貫通した複数の取付孔９３Ｃが、上下一列に並べて備えられている。
【００５０】
また、サーバ９０を構成する各サーバ機器９１には、両側面の前端縁から側方に１対の取付片９１Ｋ，９１Ｋが張り出していて、それら各取付片９１Ｋには１対の取付孔９１Ｌ，９１Ｌが上下に並べて備えられている。そして、図９に示すように、サーバ機器９１の取付孔９１Ｌをサーバラック９３の取付孔９３Ｃに重ねて、それらにボルトＢ１を貫通させてナットＮと螺合させることで各サーバ機器９１がサーバラック９３に固定されている。
【００５１】
サーバ機器９１の各取付片９１Ｋと支柱９３Ａとの間にそれぞれブラケット９６が共締めされている。図８に示すように、ブラケット９６は、例えば所定長に切断したアングル材の一方の平板部９６Ｌに取付孔９３Ｃと同ピッチに配置された複数の切欠９６Ａを備える一方、他方の平板部９６Ｍに１対の螺子孔９６Ｂ，９６Ｂを上下に並べて備えている。そして、ブラケット９６のうち複数の切欠９６Ａを有した平板部９６Ｌが取付片９１Ｋと支柱９３Ａとの間に挟まれ、他方の平板部９６Ｍがサーバラック９３の前方に突出した状態に固定され、その平板部９６Ｍに支持フレーム８０が固定されている。
【００５２】
支持フレーム８０は、横長の枠体８１の左右の両辺に１対のガイド支持部８２，８２を備えた構造になっている。枠体８１の各辺は帯板状をなして板厚方向が枠体８１の内外方向を向いている。各ガイド支持部８２は、板金をＵ字状に湾曲させてなり、そのＵ字の一辺に相当する一方の平板部８２Ｃに枠体８１の短辺の外面が重ね合わされかつＵ字の湾曲部が枠体８１の前方側に配置された状態で枠体８１とガイド支持部８２，８２とが溶接またはネジ止めされている。また、各ガイド支持部８２のうち他方の平板部８２Ｂには、先端部を凹状に切り欠いてなる取付溝８２Ａが、上下に複数並べて備えられている。
【００５３】
支持フレーム８０は、ブラケット９６の各螺子孔９６Ｂに締め付けた各ボルトＢ２のヘッド部とブラケット９６との間で平板部８２Ｂにおける取付溝８２Ａの縁部を挟んでサーバラック９３に固定されている。これにより、枠体８１が、サーバ機器９１の前面９１Ｚの前方に平行に配置されている。なお、ここで、例えば、サーバ機器９１の両取付片９１Ｋ，９１Ｋから門型の持手部（図示せず）が突出している場合には、それら持手部をガイド支持部８２，８２の湾曲構造の内側に受容した状態で、支持フレーム８０がブラケット９６，９６に固定される。
【００５４】
枠体８１の１対の長辺部分は、本発明に係る１対の直動ガイド８１Ａ，８１Ａに相当し、それら１対の直動ガイド８１Ａ，８１Ａの間に、任意の数の本発明に係る架橋バー８３を差し渡した状態に取り付けることができる。架橋バー８３は、上下に延びた帯状のレール部８３Ｄの両端部にガイド装着部８３Ｃ，８３Ｃを備えた構造になっている。また、各ガイド装着部８３Ｃは、１対の挟持片８３Ａ，８３Ｂからなり、１対の直動ガイド８１Ａ，８１Ａに対してサーバ機器９１側とは反対側から差し込むと、それら挟持片８３Ａ，８３Ｂの間に直動ガイド８１Ａが挟持されるようになっている。より具体的には、架橋バー８３は、帯状板金の上下両端部を縦に２分割して上下に２つずつ計４つの突片を形成し、それら突片をレール部８３Ｄの一方側に直角曲げしかつ隣り合った突片の折り曲げ部分を上下にずらすことで、１対の上記挟持片８３Ａ，８３Ｂからなるガイド装着部８３Ｃをレール部８３Ｄの両端部に備えた構造になっている。また、直動ガイド８１Ａには図示しない係止突条が形成されており、挟持片８３Ａ，８３Ｂには上記係止突条に係止する係止溝が形成されている。また、架橋バー８３は、ガイド装着部８３Ｃに磁石を組み込み、枠体８１に吸着固定するようにしてもよい。
【００５５】
直動ガイド８１Ａ，８１Ａの間に差し渡された架橋バー８３のレール部８３Ｄには、任意の数のクッションクリップ８４（本発明の「クッション部材」に相当する）を取り付けることができる。クッションクリップ８４は、帯状のバネ板を湾曲させてなり、半円状に湾曲した円弧部８４Ｂの一端部を円弧部８４Ｂの半円の直径方向に折り曲げて第１挟持片８４Ｃを形成し、その第１挟持片８４Ｃの先端を円弧部８４Ｂとは反対側にヘアピン状に折り返して第２挟持片８４Ａとした構造になっている。そして、第１と第２の挟持片８４Ａ，８４Ｃの間でレール部８３Ｄを挟んでレール部８３Ｄの長手方向における任意の位置に取り付けられる。
【００５６】
図９に示すように、本実施形態の光ファイバ２０の先端部には、それぞれ一部または全体が透明な固定アダプタ８５が取り付けられていて、その固定アダプタ８５が、架橋バー８３に取り付けられたクッションクリップ８４とサーバ機器９１の前面９１Ｚとに挟持される。その固定アダプタ８５は、例えば、直方体状になっていて、サーバ機器９１の前面９１Ｚに宛われる面に前面凹部８５Ａを有している。また、固定アダプタ８５には、前面凹部８５Ａに連通した連通孔８５Ｂが形成されている。連通孔８５Ｂは、固定アダプタ８５の一側面から中心部まで延びてから屈曲して前面凹部８５Ａの奥面まで延びて開口している。そして、固定アダプタ８５の一側面側から連通孔８５Ｂに光ファイバ２０の一端部を挿入して、その光ファイバ２０の端面を前面凹部８５Ａの奥面に配置した状態に固定することができるようになっている。
【００５７】
本実施形態の構成に関する説明は以上である。本実施形態の支持フレーム８０を用いて、光ファイバ２０をサーバ機器９１の発光素子９２に結合するには、まずは、サーバ機器９１の前面９１Ｚに備えた発光素子９２の数及び配置に応じて、任意の数の架橋バー８３を１対の直動ガイド８１Ａ，８１Ａの長手方向における任意の位置に差し渡しておく。そして、それら架橋バー８３に任意の数のクッションクリップ８４を任意の位置に装着し、光ファイバ２０の先端に取り付けた固定アダプタ８５を、各クッションクリップ８４とサーバ機器９１のサーバ機器９１Ｚとの間に挟持させる。これにより、発光素子９２のそれぞれに光ファイバ２０の一端部を容易に光学的に連結させることができる。また、固定アダプタ８５の前面凹部８５Ａ内で発光素子９２と光ファイバ２０の端面とを対向させる構成になっているので、外乱の光が光ファイバ２０に取り込まれることを防ぐことができる。また、固定アダプタ８５は一部または全体が透明であり、固定アダプタ８５を取り付けた状態でも外部から発光素子９２の点灯状況を視認することができる。
【００５８】
［第３実施形態］
本実施形態は、図１０〜図１２に示されており、光ファイバ２０群の一端部を発光素子９２に光学的に連結する構造が前記第１及び第２の実施形態と異なる。以下、第２実施形態と異なる構成に関してのみ説明する。
【００５９】
図１０には、本発明に係る支持網盤７０が示されている。支持網盤７０は、横長矩形の枠体７１の内側に網体７２を張ってなる。また、枠体７１の横方向の両端部からは、１対の取付片７１Ａ，７１Ａが同方向に突出し、それら取付片７１Ａ，７１Ａの先端部には、前記第２実施形態の取付溝８２Ａと同様の複数の取付溝７１Ｂが備えられている。そして、前記第２実施形態の支持フレーム８０と同様に、支持網盤７０がブラケット９６を介してサーバラック９３に固定され、網体７２がサーバ機器９１の前面９１Ｚ全体に対向している。
【００６０】
網体７２には、その任意の位置にファイバホルダ７４を装着することができる。ファイバホルダ７４は、支持パイプ７４Ｃの先端に先端ヘッド部７４Ａを固定して備えると共に、支持パイプ７４Ｃの外側に圧縮コイルバネ７４Ｂとワッシャ７３とを順番に挿通させた構造になっている。そして、網体７２における任意の網目７２Ａに対してサーバ機器９１側から支持パイプ７４Ｃの基端部（先端ヘッド部７４Ａと反対側の端部）が挿入される。これにより、図１１に示すように、先端ヘッド部７４Ａとワッシャ７３との間で圧縮コイルバネ７４Ｂが圧縮されてその弾発力により先端ヘッド部７４Ａがサーバ機器９１の前面９１Ｚに押し付けた状態に固定される。なお、支持パイプ７４Ｃの断面形状は、網目７２Ａより大きくなっていて、支持パイプ７４Ｃを網目７２Ａに押し込むと、図１２に示すように、網体７２を構成する線材７２Ｂが撓み、その反力で支持パイプ７４Ｃが固定される。
【００６１】
図１０に示すように、先端ヘッド部７４Ａは、例えば直方体状になっていて、サーバ機器９１の前面９１Ｚに宛われる面に前面凹部７４Ｄを有し、支持パイプ７４Ｃの内部に連通した固定孔７４Ｅが、前面凹部７４Ｄの奥面に開口した構造になっている。そして、支持パイプ７４Ｃの基端部側から固定孔７４Ｅへと光ファイバ２０が挿入されて、光ファイバ２０の先端面がファイバホルダ７４Ｄの奥面に配置された状態に固定される。
【００６２】
本実施形態の構成に関する説明は以上である。本実施形態の支持網盤７０を用いて光ファイバ２０をサーバ機器９１の発光素子９２に結合するには、まずは、サーバ機器９１の前面９１Ｚに備えた発光素子９２の数及び配置に応じて、網体７２の任意の網目７２Ａにファイバホルダ７４の支持パイプ７４Ｃを挿入して、網体７２とサーバ機器９１の前面９１Ｚとの間にファイバホルダ７４を固定しておく。そして、各ファイバホルダ７４の支持パイプ７４Ｃに基端側から光ファイバ２０を挿入して、ファイバホルダ７４内の固定孔７４Ｅに光ファイバ２０の先端部を固定する。これにより、発光素子９２のそれぞれに光ファイバ２０の一端部を容易に光学的に連結させることができる。
【００６３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６４】
（１）上記実施形態のサーバ監視装置１０及びサーバ監視システム１００は、レンタルサーバ業者が他者に貸し出したサーバの状態を監視を監視するために用いられてもよいし、遠隔地に自前のサーバを所有する者が自己のサーバを監視するために用いられてもよい。
【００６５】
（２）カメラ３０から画像送信端末４０への画像データの送信は、カメラ３０が撮像したときに自動的に行われてもよい。
【００６６】
（３）上記実施形態では、カメラ３０から発光パターンの画像を取得した画像送信端末４０が監視者１０１へ送信していたが、ＷＥＢサーバ機能を内蔵したカメラを用いてカメラから直接、監視者１０１へ画像を送信してもよい。なお、この場合、ＷＥＢサーバ機能を内蔵したカメラが、本発明の「カメラ」及び「画像送信手段」に相当する。また、カメラ３０から画像送信端末４０へは、ネットワーク接続により画像を送信していたが、ＵＳＢケーブル等で接続して送信してもよい。
【００６７】
（４）上記実施形態では、カメラ３０を１台だけ備えた構成であったが、カメラ３０を複数台備えた構成であってもよい。この構成によれば、何れかのカメラ３０が故障した場合であっても、発光パターンを撮像することができる。
【００６８】
（５）カメラ３０の動作確認ランプの発光を光ファイバで取り込み、その光ファイバの端面からの発光をカメラ３０自身で撮像するようにしてもよい。これにより、カメラ３０の動作状態を確認することが可能になる。
【００６９】
（６）複数の発光素子９２に通し番号を付けておき、複数の光ファイバ２０を、結合した発光素子９２の番号順に並べてもよい。なお、光ファイバ２０の並べ方は、一列に順番に並べてもよいし、１つの列に１０個ずつ並べるようにしてもよい。
【００７０】
（７）上記実施形態では、サーバ状態判定装置１０５がサーバ９０の状態を判定していたが、サーバ状態判定装置１０５にてカメラ３０が撮像した発光パターンの画像を見た監視者１０１がサーバ９０の状態を判定してもよい。
【００７１】
（８）前記第２実施形態の上記架橋バー８３は、直動ガイド８１Ａ，８１Ａに対してサーバ機器９１側と反対側から装着されていたが、架橋バー８３を直動ガイド８１Ａ，８１Ａに対してサーバ機器９１側から装着してもよい。この場合、係止突条や係止溝を形成しなくても、クッションクリップ８４の弾発力により架橋バー８３を直動ガイド８１Ａ，８１Ａから外れずに装着することができる。
【００７２】
（９）前記第２実施形態では、サーバ機器９１の前面９１Ｚとクッションクリップ８４との間で光ファイバ２０の先端の固定アダプタ８５を挟んで固定していたが、例えば、架橋バーの長手方向の任意の位置に固定可能なクリップに固定アダプタを固定しておき、その固定アダプタをサーバ機器に押し付けなくても、発光素子に対向配置できる構成にしてもよい。
【００７３】
（１０）図１３に示すように、前記第３実施形態の一部を変更して、ワッシャ７３Ｖから網目７２Ａに押し込まれるスリーブ７３Ｔを突出させておき、網体７２を挟んでワッシャ７３Ｖと反対側からスリーブ７３Ｔにサブワッシャ７３Ｕを圧入して、ワッシャ７３Ｖとサブワッシャ７３Ｕとの間で網体７２を挟持する構成にしてもよい。このような構成にすれば、網体７２に対するファイバホルダ７４の固定が強固になる。
【００７４】
（１１）また、前記第３実施形態の一部を変更して、支持網盤７０の枠体７１（図１０参照）に１対の網体７２，７２を対向配置した状態に固定し、図１４に示すように、支持パイプ７４Ｃがそれら網体７２，７２の両方の網目７２Ａ，７２Ａに挿通される構成にしてもよい。この構成により、支持パイプ７４Ｃの水平姿勢の保持が強固になる。
【００７５】
（１２）サーバ機器９１の発光素子９２以外にも温度、湿度、電圧、地震検知等の状態をそれぞれセンサを用いてデータ化し、画像データに加えて送信してもよい。
【００７６】
（１３）上記実施形態では、基準発光素子２４を３つ設けていたが、３つ以外の個数設けてもよい。基準発光素子２４が１つの場合は、カメラのズームや撮影向きが一定であれば撮影範囲がずれていても座標位置を特定することができる。基準発光素子２４が２つの場合は、撮影向きが一定であればカメラのズームが異なっても座標位置を特定することができる。なお、カメラが固定されており、撮影範囲や撮影向きが一定の場合は、基準発光素子２４がなくても座標位置を特定することができる。
【００７７】
（１４）上記実施形態では、固定アダプタ８５は一部または全体が透明であったが、非透明であってもよい。非透明とした場合は、外乱の光が光ファイバ２０に取り込まれることをより防ぐことができる。
【符号の説明】
【００７８】
１０    サーバ監視装置
２０    光ファイバ
２２    表示ボード（光ファイバ終端固定手段）
２４    基準発光素子
２６    環境光用光ファイバ
２７    反射光用光ファイバ
２８    出射光用光ファイバ（出射手段）
２９    光源（出射手段）
３０    カメラ
３１    遮光ボックス
４０    画像送信端末（画像送信手段）
７０    支持網盤（光ファイバ始端固定手段）
７１    枠体
７２    網体
７２Ａ    網目
７４    ファイバホルダ（第２光ファイバ保持部材、光ファイバ始端固定手段）
７４Ａ    先端ヘッド部
７４Ｂ    圧縮コイルバネ
７４Ｃ    支持パイプ
７４Ｄ    前面凹部
８１Ａ    直動ガイド
８３    架橋バー
８４    クッションクリップ（クッション部材、光ファイバ始端固定手段）
８５    固定アダプタ
８５Ａ    前面凹部
９０    サーバ
９２    発光素子
９３    サーバラック
９４    開閉扉
９４Ａ    光ファイバ挿通孔
９５    サーバ室
１００  サーバ監視システム
１０１  借り主（監視者）
１０３  通信ネットワーク
１０５  サーバ状態判定装置
【図１】
0005914385.tif 000002
【図２】
0005914385.tif 000003
【図３】
0005914385.tif 000004
【図４】
0005914385.tif 000005
【図５】
0005914385.tif 000006
【図６】
0005914385.tif 000007
【図７】
0005914385.tif 000008
【図８】
0005914385.tif 000009
【図９】
0005914385.tif 000010
【図１０】
0005914385.tif 000011
【図１１】
0005914385.tif 000012
【図１２】
0005914385.tif 000013
【図１３】
0005914385.tif 000014
【図１４】
0005914385.tif 000015